(57)【特許請求の範囲】
【請求項１】
ダウンリンク（ＤＬ：Ｄｏｗｎｌｉｎｋ）副フレーム内のアップリンク（ＵＬ：Ｕｐｌｉｎｋ）資源割当情報を受信する過程と、
前記資源割当情報に基づいて前記ＤＬ副フレームに対応する多数の連続的ＵＬ副フレーム中の少なくとも一つのＵＬ副フレームでＵＬデータを送信する過程と、を含み、
送時間区間（ＴＴＩ：Ｔｒａｎｓｍｉｓｓｉｏｎ  Ｔｉｍｅ  Ｉｎｔｅｒｖａｌ）の種類及び前記アップリンクデータの伝送に関連するアップリンク副フレームの位置を示す前記資源割当情報が２ビット値で表現され、
前記２ビット値は、
ＴＴＩの種類がｌｏｎｇ  ＴＴＩであることを示す ”００”、
ＴＴＩの種類がｄｅｆａｕｌｔ  ＴＴＩで第１アップリンク副フレームが前記アップリンクデータの伝送に関連することを示す ”０１”、
ＴＴＩの種類がｄｅｆａｕｌｔ  ＴＴＩで第２アップリンク副フレームが前記アップリンクデータの伝送に関連することを示す ”１０”、及び
ＴＴＩの種類がｄｅｆａｕｌｔ  ＴＴＩで第３アップリンク副フレームが前記アップリンクデータの伝送に関連することを示す ”１１”の中の一つに設定される
ことを特徴とする無線通信システムにおける端末の動作方法。
【請求項２】
ダウンリンク（ＤＬ：Ｄｏｗｎｌｉｎｋ）副フレーム内のアップリンク（ＵＬ：Ｕｐｌｉｎｋ）資源割当情報を受信する受信機と、
前記資源割当情報に基づいて前記ＤＬ副フレームに対応する多数の連続的ＵＬ副フレーム中の少なくとも一つのＵＬ副フレームでＵＬデータを送信する送信機と、を含み、
送時間区間（ＴＴＩ：Ｔｒａｎｓｍｉｓｓｉｏｎ  Ｔｉｍｅ  Ｉｎｔｅｒｖａｌ）の種類及び前記アップリンクデータの伝送に関連するアップリンク副フレームの位置を示す前記資源割当情報が２ビット値で表現され、
前記２ビット値は、
ＴＴＩの種類がｌｏｎｇ  ＴＴＩであることを示す ”００”、
ＴＴＩの種類がｄｅｆａｕｌｔ  ＴＴＩで第１アップリンク副フレームが前記アップリンクデータの伝送に関連することを示す ”０１”、
ＴＴＩの種類がｄｅｆａｕｌｔ  ＴＴＩで第２アップリンク副フレームが前記アップリンクデータの伝送に関連することを示す ”１０”、及び
ＴＴＩの種類がｄｅｆａｕｌｔ  ＴＴＩで第３アップリンク副フレームが前記アップリンクデータの伝送に関連することを示す ”１１”の中の一つに設定される
ことを特徴とする無線通信システムにおける端末装置。
【請求項３】
前記ＴＴＩの種類がｌｏｎｇ  ＴＴＩであれば、前記資源割当情報は３つのアップリンク副フレームのための資源割当情報である
ことを特徴とする請求項１に記載の無線通信システムにおける端末の動作方法。
【請求項４】
前記ＴＴＩの種類がｄｅｆａｕｌｔ  ＴＴＩであれば、前記資源割当情報は１つのアップリンク副フレームのための資源割当情報である
ことを特徴とする請求項１に記載の無線通信システムにおける端末の動作方法。
【請求項５】
前記ＵＬデータ送信過程は、
前記ＴＴＩの種類を示す前記情報が、前記ＵＬデータが前記多数の連続的ＵＬ副フレーム中の前記全てのＵＬ副フレームで送信されことを示す「ｌｏｎｇ ＴＴＩ」を示す際、前記多数の連続的ＵＬ副フレーム中の前記全てのＵＬ副フレームで前記ＵＬデータを送信する過程を含む
ことを特徴とする請求項１に記載の無線通信システムにおける端末の動作方法。
【請求項６】
前記ＵＬデータ送信過程は、
前記ＴＴＩの種類を示す前記情報が、前記ＵＬデータが前記多数の連続的ＵＬ副フレーム中の前記一つのＵＬ副フレームで送信されことを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを送信する過程を含む  ことを特徴とする請求項１に記載の無線通信システムにおける端末の動作方法。
【請求項７】
前記ＴＴＩの種類がｌｏｎｇ  ＴＴＩであれば、前記資源割当情報は３つのアップリンク副フレームのための資源割当情報である
ことを特徴とする請求項２に記載の無線通信システムにおける端末装置。
【請求項８】
前記ＴＴＩの種類がｄｅｆａｕｌｔ  ＴＴＩであれば、前記資源割当情報は１つのアップリンク副フレームのための資源割当情報である
ことを特徴とする請求項２に記載の無線通信システムにおける端末装置。
【請求項９】
前記送信機は、
前記ＴＴＩの種類を示す前記情報が、前記ＵＬデータが前記多数の連続的ＵＬ副フレーム中の前記全てのＵＬ副フレームで送信されことを示す「ｌｏｎｇ ＴＴＩ」を示す際、前記多数の連続的ＵＬ副フレーム中の前記全てのＵＬ副フレームで前記ＵＬデータを送信する
ことを特徴とする請求項２に記載の無線通信システムにおける端末装置。
【請求項１０】
前記送信機は、
前記ＴＴＩの種類を示す前記情報が、前記ＵＬデータが前記多数の連続的ＵＬ副フレーム中の前記一つのＵＬ副フレームで送信されことを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを送信する
ことを特徴とする請求項２に記載の無線通信システムにおける端末装置。
【請求項１１】
アップリンク（ＵＬ：Ｕｐｌｉｎｋ）資源割当情報を生成する過程と、
ダウンリンク（ＤＬ：Ｄｏｗｎｌｉｎｋ）副フレームを介して端末に前記資源割当情報を送信する過程と、を含み、
送時間区間（ＴＴＩ：Ｔｒａｎｓｍｉｓｓｉｏｎ  Ｔｉｍｅ  Ｉｎｔｅｒｖａｌ）の種類及び前記アップリンクデータの伝送に関連するアップリンク副フレームの位置を示す前記資源割当情報が２ビット値で表現され、
前記２ビット値は、
ＴＴＩの種類がｌｏｎｇ  ＴＴＩであることを示す ”００”、
ＴＴＩの種類がｄｅｆａｕｌｔ  ＴＴＩで第１アップリンク副フレームが前記アップリンクデータの伝送に関連することを示す ”０１”、
ＴＴＩの種類がｄｅｆａｕｌｔ  ＴＴＩで第２アップリンク副フレームが前記アップリンクデータの伝送に関連することを示す ”１０”、及び
ＴＴＩの種類がｄｅｆａｕｌｔ  ＴＴＩで第３アップリンク副フレームが前記アップリンクデータの伝送に関連することを示す ”１１”の中の一つに設定されることを示す
ことを特徴とする無線通信システムにおける基地局の動作方法。
【請求項１２】
アップリンク（ＵＬ：Ｕｐｌｉｎｋ）資源割当情報を生成するメッセージ生成機と、
ダウンリンク（ＤＬ：Ｄｏｗｎｌｉｎｋ）副フレームを介して端末に前記資源割当情報を送信する送信機と、を含み、
送時間区間（ＴＴＩ：Ｔｒａｎｓｍｉｓｓｉｏｎ  Ｔｉｍｅ  Ｉｎｔｅｒｖａｌ）の種類及び前記アップリンクデータの伝送に関連するアップリンク副フレームの位置を示す前記資源割当情報が２ビット値で表現され、
前記２ビット値は、
ＴＴＩの種類がｌｏｎｇ  ＴＴＩであることを示す ”００”、
ＴＴＩの種類がｄｅｆａｕｌｔ  ＴＴＩで第１アップリンク副フレームが前記アップリンクデータの伝送に関連することを示す ”０１”、
ＴＴＩの種類がｄｅｆａｕｌｔ  ＴＴＩで第２アップリンク副フレームが前記アップリンクデータの伝送に関連することを示す ”１０”、及び
ＴＴＩの種類がｄｅｆａｕｌｔ  ＴＴＩで第３アップリンク副フレームが前記アップリンクデータの伝送に関連することを示す”１１”の中の一つに設定される
ことを特徴とする無線通信システムにおける基地局装置。
【請求項１３】
前記端末から前記資源割当情報に基づいて前記多数の連続的ＵＬ副フレーム中の前記一つのＵＬ副フレームを介して前記ＵＬデータを受信する過程と、をもっと含む
ことを特徴とする請求項１１に記載の無線通信システムにおける基地局の動作方法。
【請求項１４】
前記ＴＴＩの種類がｌｏｎｇ  ＴＴＩであれば、前記資源割当情報は３つのアップリンク副フレームのための資源割当情報である
ことを特徴とする請求項１１に記載の無線通信システムにおける基地局の動作方法。
【請求項１５】
前記ＴＴＩの種類がｄｅｆａｕｌｔ  ＴＴＩであれば、前記資源割当情報は１つのアップリンク副フレームのための資源割当情報である
ことを特徴とする請求項１１に記載の無線通信システムにおける基地局の動作方法。
【請求項１６】
前記ＵＬデータ受信過程は、
前記ＴＴＩの種類を示す前記情報が、前記ＵＬデータが前記多数の連続的ＵＬ副フレーム中の前記全てのＵＬ副フレームで前記端末によって送信されことを示す「ｌｏｎｇ ＴＴＩ」を示す際、前記端末から前記多数の連続的ＵＬ副フレーム中の前記全てのＵＬ副フレームで前記ＵＬデータを受信する過程を含む
ことを特徴とする請求項１３に記載の無線通信システムにおける基地局の動作方法。
【請求項１７】
前記ＵＬデータ受信過程は、
前記ＴＴＩの種類を示す前記情報が、前記ＵＬデータが前記多数の連続的ＵＬ副フレーム中の前記一つのＵＬ副フレームで前記端末によって送信されことを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを受信する過程を含む
ことを特徴とする請求項１３に記載の無線通信システムにおける基地局の動作方法。
【請求項１８】
前記端末から前記資源割当情報に基づいて前記多数の連続的ＵＬ副フレーム中の前記一つのＵＬ副フレームを介して前記ＵＬデータを受信する受信機と、をもっと含む
ことを特徴とする請求項１２に記載の無線通信システムにおける基地局装置。
【請求項１９】
前記ＴＴＩの種類がｌｏｎｇ  ＴＴＩであれば、前記資源割当情報は３つのアップリンク副フレームのための資源割当情報である
ことを特徴とする請求項１２に記載の無線通信システムにおける基地局装置。
【請求項２０】
前記ＴＴＩの種類がｄｅｆａｕｌｔ  ＴＴＩであれば、前記資源割当情報は１つのアップリンク副フレームのための資源割当情報である
ことを特徴とする請求項１２に記載の無線通信システムにおける基地局装置。
【請求項２１】
前記受信機は、
前記ＴＴＩの種類を示す前記情報が、前記ＵＬデータが前記多数の連続的ＵＬ副フレーム中の前記全てのＵＬ副フレームで前記端末によって送信されことを示す「ｌｏｎｇ ＴＴＩ」を示す際、前記端末から前記多数の連続的ＵＬ副フレーム中の前記全てのＵＬ副フレームで前記ＵＬデータを受信する
ことを特徴とする請求項１８に記載の無線通信システムにおける基地局装置。
【請求項２２】
前記受信機は、
前記ＴＴＩの種類を示す前記情報が、前記ＵＬデータが前記多数の連続的ＵＬ副フレーム中の前記一つのＵＬ副フレームで前記端末によって送信されことを示す「ｄｅｆａｕｌｔ ＴＴＩ」を示す際、前記多数の連続的ＵＬ副フレーム中の前記ＴＴＩの種類を示す前記情報によって指示される位置を有する前記一つのＵＬ副フレームで前記ＵＬデータを受信する
ことを特徴とする請求項１８に記載の無線通信システムにおける基地局装置。
【発明の詳細な説明】
【技術分野】
【０００１】
本発明は広帯域無線通信システムにおけるアップリンク資源割当指示装置及びその方法に関するものであり、特に非対称リンクを有するＴＤＤ（Ｔｉｍｅ  Ｄｉｖｉｓｉｏｎ  Ｄｕｐｌｅｘ）フレームにおける特定の特性（例えば、ｌｏｎｇ  ＴＴＩ）のバースト割当のみを考慮することによる資源損失を回避し、追加のシグナリングオーバヘッドがなくても多様な特性のバースト割当を示すための装置及びその方法に関するものである。
【背景技術】
【０００２】
次世代通信システムである４世代（４Ｇ：４ｔｈ  Ｇｅｎｅｒａｔｉｏｎ）通信システムでは、約１００Ｍｂｐｓの送信速度を利用して様々なサービス品質（ＱｏＳ：Ｑｕａｌｉｔｙ  ｏｆ  Ｓｅｒｖｉｃｅ）を有するサービスをユーザに提供するための活発な研究が進まれている。その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムである。前記ＩＥＥＥ  ８０２．１６システムは、物理チャネル（Ｐｈｙｓｉｃａｌ  Ｃｈａｎｎｅｌ）における広帯域（Ｂｒｏａｄｂａｎｄ）伝送ネットワークを支援するために直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を適用した通信システムである。
【０００３】
前記ＩＥＥＥ  ８０２．１６システムのような広帯域無線通信システムは、多様な無線及びサービス環境を支援するために一つのフレームを多数個の副フレームに分けて使用する。
【０００４】
図１は、従来のＩＥＥＥ  ８０２．１６ｍシステムの基本的なフレーム構造を示す図である。
【０００５】
前記図１に示したように、ＩＥＥＥ  ８０２．１６ｍシステムはスーパーフレーム１００単位にフレームを使用する。ここで、一つのスーパーフレーム１００は多数（例えば、４つ）のフレーム１１０で構成され、それぞれのフレーム１１０は多数（例えば、８つ）の副フレーム（ｓｕｂｆｒａｍｅ）１２０で構成される。ＴＤＤ（Ｔｉｍｅ  Ｄｉｖｉｓｉｏｎ  Ｄｕｐｌｅｘ）フレーム構造において、各フレーム１１０内の一定個数（例えば、５つ）の副フレーム１２０はダウンリンク（ＤＬ：Ｄｏｗｎｌｉｎｋ）として運用され、残りの個数（例えば、３つ）の副フレーム１２０はアップリンク（ＵＬ：Ｕｐｌｉｎｋ）として運用される。そして、各リンクの間にはスイッチングのためのギャップ（Ｇａｐ）（例えば、ＴＴＣ（Ｔｒａｎｓｍｉｔ／ｒｅｃｅｉｖｅ  Ｔｒａｎｓｉｔｉｏｎ  Ｇａｐ）、ＲＴＧ（Ｒｅｃｉｅｖｅ／ｔｒａｎｓｍｉｔ  Ｔｒａｎｓｉｔｉｏｎ  Ｇａｐ））が存在する。
【０００６】
前記広帯域無線通信システムは、上記のようなフレーム構造に基づいて短いレイテンシ支援のために各副フレーム内におけるバースト伝送を考慮し、それをデフォルト（ｄｅｆａｕｌｔ）伝送時間区間（ＴＴＩ：Ｔｒａｎｓｍｉｓｓｉｏｎ  Ｔｉｍｅ  Ｉｎｔｅｒｖａｌ）伝送と称する。また、多様な無線及びサービス環境に応じて効率的なバースト伝送のために多様な長さのバースト伝送を提供する。特に、ＩＥＥＥ  ８０２．１６ｍシステムの場合、ｄｅｆａｕｌｔ  ＴＴＩとロング（ｌｏｎｇ）  ＴＴＩという２つの特性のバースト伝送長さを考慮する。上述したように、ｄｅｆａｕｌｔ  ＴＴＩは一つの副フレーム内における伝送を意味し、ｌｏｎｇ  ＴＴＩは多数の副フレーム区間の間における伝送を意味する。ＩＥＥＥ  ８０２．１６ｍシステムにおけるｌｏｎｇ  ＴＴＩの長さは、ＦＤＤ（Ｆｒｅｑｕｅｎｃｙ  Ｄｉｖｉｓｉｏｎ  Ｄｕｐｌｅｘ）システムの場合４つの副フレームであり、ＴＤＤシステムの場合ＤＬ又はＵＬそれぞれの全体の長さである。即ち、Ｄ：Ｕ  ＴＤＤシステムにおけるＤＬ  ｌｏｎｇ  ＴＴＩの長さはＤ個の副フレームであり、ＵＬ  ｌｏｎｇ  ＴＴＩの長さはＵ個の副フレームである。
【０００７】
前記多様な伝送長さを有するバーストの割当情報は、ＤＬ副フレームから提供されるＡ−ＭＡＰというＤＬ制御チャネルを介して端末に伝送される。そして、そのような割当情報はＡ−ＭＡＰ  ＩＥという情報因子（ＩＥ：Ｉｎｆｏｒｍａｔｉｏｎ  Ｅｌｅｍｅｎｔ）で構成される。任意のＤ副フレームでＵＬ  ｄｅｆａｕｌｔ  ＴＴＩを示すためには、バースト割当が存在するＵＬ副フレームの位置を示さなければならない。従って、一つのＤＬ副フレームで任意のＵＬ副フレームの位置を示すためには、ＵＬ副フレームの全体のインデックス示し得るビット数が必要である。即ち、ＵＬ副フレームの全体の個数が最大８つであれば８ビットが必要となる。また、該当ＵＬ割当がｌｏｎｇ  ＴＴＩであるのか又はｄｅｆａｕｌｔ  ＴＴＩであるのかを示すために１ビットが必要となる。即ち、任意のＤＬ副フレームで多様な特性のバースト割当を示すためには、４ビット程度のシグナリングオーバヘッド（ｓｉｇｎａｌｉｎｇ  ｏｖｅｒｈｅａｄ）が必要となる。
【０００８】
また、ＩＥＥＥ  ８０２．１６ｍシステムにおけるバースト割当指示のためのＡ−ＭＡＰ  ＩＥという情報因子には、バースト割当の特性によって基本割当（Ｂａｓｉｃ  ａｓｓｉｇｎｍｅｎｔ）Ａ−ＭＡＰ  ＩＥ、固定割当（Ｐｅｒｓｉｓｔｅｎｔ  ａｓｓｉｇｎｍｅｎｔ）Ａ−ＭＡＰ  ＩＥ、グループ割当（Ｇｒｏｕｐ  ａｓｓｉｇｎｍｅｎｔ）Ａ−ＭＡＰ  ＩＥ、ＣＤＭＡ割当（ＣＤＭＡ  ａｌｌｏｃａｔｉｏｎ）Ａ−ＭＡＰ  ＩＥが含まれ、非連続的資源割当のための副帯域（Ｓｕｂｂａｎｄ）Ａ−ＭＡＰ  ＩＥとＭＩＭＯ（Ｍｕｌｔｉｐｌｅ−Ｉｎｐｕｔ  Ｍｕｌｔｉｐｌｅ−Ｏｕｔｐｕｔ）フィードバック（ｆｅｅｄｂａｃｋ）などのようなフィードバック情報の伝送のためのフィードバックポーリング（ｆｅｅｄｂａｃｋ  ｐｏｌｌｉｎｇ）ＩＥなどが更に含まれる。大部分のＡ−ＭＡＰ  ＩＥは復号複雑度を減らすために５６ビットの固定サイズ（例えば、１６ビットＣＲＣ（Ｃｙｃｌｉｃ  Ｒｅｄｕｎｄａｎｃｙ  Ｃｈｅｃｋ）を考慮すると、実際の情報ビットは４０ビット）を有する。そして、ｆｅｅｄｂａｃｋ  ｐｏｌｌｉｎｇ  ＩＥのような可変サイズを有するＡ−ＭＡＰ  ＩＥは分割されて伝送され得る。このように、Ａ−ＭＡＰ  ＩＥのサイズを効率的に固定させるためにはシグナリングオーバヘッドを減らす方法が必要である。
【０００９】
よって、ＩＥＥＥ  ８０２．１６ｍシステムではシグナリングオーバヘッドを減らすために任意のＤＬ副フレームに対応するＵＬ副フレームの個数及び位置が予め定義されている。即ち、ＤＬ副フレーム内で各Ａ−ＭＡＰ  ＩＥが示すバースト割当に対する副フレームの位置が予め定義されている。そして、そのような対応関係はＤＬ対ＵＬの割合によって異なる。
【００１０】
一つ又は多数のＤＬ副フレームに対応するＵＬ副フレームが一つである場合、既に定義された対応関係を介して特定の指示子がなくてもＤＬ副フレームを介して伝送されるＡ−ＭＡＰ  ＩＥが示すバースト割当に対するＵＬ副フレームの位置を知ることができる。例えば、５：３  ＴＤＤフレームの構造を調べてみると、ＤＬ０副フレームとＤＬ１副フレームはＵＬ０副フレームに対応し、ＤＬ２副フレームはＵＬ１副フレームに対応し、ＤＬ３副フレームとＤＬ４副フレームはＵＬ２副フレームに対応する。このように、一つのＤＬ副フレームが一つのＵＬ副フレームと対応する場合、ＤＬ副フレームを介して伝送されるＡ−ＭＡＰ  ＩＥが示すバースト割当に対するＵＬ副フレームの位置を非明示的に知ることができ、多数のＵＬ副フレームのうち一つのＵＬ副フレームの位置を示すための特定の指示子は不必要となる。
【００１１】
一方、一つのＤＬ副フレームに対応するＵＬ副フレームが多数である場合、対応する多数のＵＬ副フレームのうち一つのＵＬ副フレームの位置を示すために特定の指示子が必要となる。
【００１２】
図２は、従来のＩＥＥＥ  ８０２．１６ｍシステムにおける一つのＤＬ副フレームに対応するＵＬ副フレームが多数である場合のＴＤＤフレーム構造を示す図である。
【００１３】
まず、前記図２の（ａ）を介して３：５  ＴＤＤ  １６ｍフレームの構造を調べてみると、ＤＬ０副フレームはＵＬ０副フレームとＵＬ１副フレームに対応し、ＤＬ１副フレームはＵＬ２副フレームに対応し、ＤＬ２副フレームはＵＬ３副フレームとＵＬ４副フレームに対応する。このように、一つのＤＬ副フレームが最大２つのＵＬ副フレームと対応する場合、対応するＵＬ副フレームのうち一つのＵＬ副フレームの位置を示すために最大２つのＵＬ副フレームを区分し得る特定の指示子が必要となる。
【００１４】
次に、前記図２の（ｂ）を介して５：３  ＴＤＤ  １６ｅ／１６ｍ共存支援フレームの構造を調べてみると、１６ｍ動作領域が一つのフレーム内のＤ：Ｕ＝１：３領域を占有する場合、ＤＬ０副フレームがＵＬ０副フレーム乃至ＵＬ２副フレームに対応する。このように、一つのＤＬ副フレームが最大３つのＵＬ副フレームと対応する場合、対応するＵＬ副フレームのうち一つのＵＬ副フレームの位置を示すために最大３つのＵＬ副フレームを区分し得る特定の指示子が必要となる。ここで、対応する多数の副フレームのうち任意の副フレームを示す方法を割当関係（ａｌｌｏｃａｔｉｏｎ  ｒｅｌｅｖａｎｃｅ）と称する。
【００１５】
このように、ＤＬ対ＵＬの割合によって一つのＤＬ副フレームに対応するＵＬ副フレームの個数及び位置が異なるにつれ、対応するＵＬ副フレームのうち一つのＵＬ副フレームの位置を示すためのシグナリング（即ち、特定の指示子）が必要となる。このようなＤＬ対ＵＬの割合によるシグナリング情報は、該当Ａ−ＭＡＰ  ＩＥが固定されたサイズを有し得るようにデザインされるべきである。また、バースト伝送はｄｅｆａｕｌｔ  ＴＴＩ又はｌｏｎｇ  ＴＴＩの特性を有してもよく、それに対する区分が必要である。
【００１６】
上述した問題を解決するために、ＩＥＥＥ  ８０２．１６ｍシステムでは一つのＤＬ副フレームが多数のＵＬ副フレームと対応する場合、ｄｅｆａｕｌｔ  ＴＴＩを支援することで発生するａｌｌｏｃａｔｉｏｎ  ｒｅｌｅｖａｎｃｅを示すための指示子に対するシグナリングオーバヘッドを回避するために、ＵＬ割当に対してｌｏｎｇ  ＴＴＩのみを考慮する方法が提案されたことがある。即ち、８０２．１６ｍシステムではＤＬ副フレームの個数がＵＬ副フレームの個数より大きいか同じである場合、ｄｅｆａｕｌｔ  ＴＴＩとｌｏｎｇ  ＴＴＩ全てを支援し、ｌｏｎｇ  ＴＴＩ指示子を介してｄｅｆａｕｌｔ  ＴＴＩ又はｌｏｎｇ  ＴＴＩであることを示す。この際、ｄｅｆａｕｌｔ  ＴＴＩの場合、既に定義された対応関係を介して対応する副フレームの位置を知ることができる。一方、ＤＬ副フレームの個数がＵＬ副フレームの個数より小さい場合ｌｏｎｇ  ＴＴＩのみを支援し、そのためにＡ−ＭＡＰ  ＩＥは１ビットのｌｏｎｇ  ＴＴＩ  ｉｎｄｉｃａｔｏｒを含む。
【００１７】
図３は、従来のＩＥＥＥ  ８０２．１６ｍシステムにおいて、一つのＤＬ副フレームに対応するＵＬ副フレームが多数である場合のＴＤＤ  １６ｅ／１６ｍ共存支援フレーム構造における特定の特性のバースト割当のみを示すことによる問題点を示す図である。
【００１８】
前記図３を介して、５：３  ＴＤＤ  １６ｅ／１６ｍ共存支援フレーム構造を調べてみると、レインジングチャネル（ＲＮＧＣＨ：Ｒａｇｉｎｇ  Ｃｈａｎｎｅｌ）又は帯域幅要請チャネル（ＢＷ  ＲＥＱ  ＣＨ：Ｂａｎｄｗｉｄｔｈ  Ｒｅｑｕｅｓｔ  Ｃｈａｎｎｅｌ）などのＵＬ制御チャネルが全てのＵＬ副フレームに存在せず、一定周期で特定のＵＬ副フレーム（例えば、１番目のＵＬ副フレーム）に存在する。ここで、ＵＬ割当に対してｌｏｎｇ  ＴＴＩのみを考慮する場合、特定のＵＬ副フレームにのみ存在するＲＮＧＣＨ又はＢＷ  ＲＥＱ  ＣＨによって他のＵＬ副フレームで前記ＵＬ制御チャネルが占有する資源と同じ資源インデックスは使用されることはできない。即ち、他のＵＬ副フレームの場合、ＵＬ制御チャネルが存在しなくても前記ＵＬ制御チャネルが占有する資源と同じ領域がバースト割当として使用されることはできず、それで資源損失（ｒｅｓｏｕｒｃｅ  ｌｏｓｓ）が発生する。
【００１９】
例えば、３：５  ＴＤＤ  １６ｍフレーム構造において、１０ＭＨｚ帯域幅（ＢＷ：Ｂａｎｄｗｉｄｔｈ）を基準に一つのＵＬ副フレームに総４８個のＬＲＵ（Ｌｏｇｉｃａｌ  Ｒｅｓｏｕｒｃｅ  Ｕｎｉｔｓ）が存在し、４つのＬＲＵをＲＮＧＣＨとして使用してＲＮＧＣＨが一つのＵＬ副フレームに存在する場合、ＵＬ割当に対してｌｏｎｇ  ＴＴＩのみを考慮することによって該当フレームで約６％（＝４＊４／（５＊４８））の資源損失が発生する。
【００２０】
そして、５：３  ＴＤＤ  １６ｅ／１６ｍ共存支援フレーム構造において、１６ｍがフレーム内のＤ：Ｕ＝１：３領域を占有し、１０ＭＨｚ  ＢＷを基準に一つのＵＬ副フレームに総３５個のＬＲＵが存在し、６つのＬＲＵをＲＮＧＣＨとして使用してＲＮＧＣＨが一つのＵＬ副フレームに存在する場合、ＵＬ割当に対してｌｏｎｇ  ＴＴＩのみを考慮することによって該当フレームで約１１％（＝２＊６／（３５＊３））の資源損失が発生する。
【００２１】
従って、バースト割当指示のためのシグナリングオーバヘッドを減らしながら特定の特性（例えば、ｌｏｎｇ  ＴＴＩ）のバースト割当のみを考慮することによる資源損失を回避し得るバースト割当指示方法が必要となる。
【発明の概要】
【発明が解決しようとする課題】
【００２２】
本発明の目的は、広帯域無線通信システムにおけるアップリンク資源割当指示装置及びその方法を提供することにある。
【００２３】
本発明の他の目的は、広帯域無線通信システムにおける非対称リンクを有するＴＤＤフレームにおいて、多様なＤＬ対ＵＬの割合によって決められるＤＬ副フレームとＵＬ副フレームの対応関係に基づいてＤＬ副フレームを介して伝送されるＡ−ＭＡＰ  ＩＥが示すバースト割当に対するＵＬ副フレームの位置（例えば、１番目のＵＬ副フレーム、２番目のＵＬ副フレーム、３番目のＵＬ副フレーム）のみならずバースト伝送特性（例えば、ｄｅｆａｕｌｔ  ＴＴＩ、ｌｏｎｇ  ＴＴＩ）を示す指示子を利用することで、追加のシグナリングオーバヘッドがなくても多様な特性のバースト割当を示すための装置及びその方法を提供することにある。
【課題を解決するための手段】
【００２４】
上述した目的を達成するための本発明の第１見地によると、無線通信システムにおける資源割当によるデータ送信のための端末の動作方法は、受信されたダウンリンク（ＤＬ：Ｄｏｗｎｌｉｎｋ）副フレーム内のアップリンク（ＵＬ：Ｕｐｌｉｎｋ）資源割当ＩＥを復号する過程と、前記復号されたＵＬ資源割当ＩＥから指示子フィールド値を抽出する過程と、前記抽出された指示子フィールド値に基づいて前記端末に割り当てられた資源を介してＵＬデータを送信する過程と、を含み、前記指示子フィールド値は端末に割り当てられた資源に対する伝送時間区間（ＴＴＩ：Ｔｒａｓｍｉｓｓｉｏｎ  Ｔｉｍｅ  Ｉｎｔｅｒｖａｌ）の種類及びＵＬ副フレームの位置を示すことを特徴とする。
【００２５】
本発明の第２見地によると、無線通信システムにおける資源割当のための基地局の動作方法は、スケジューリングを介して端末に資源を割り当てる過程と、前記端末に割り当てられた資源に対する伝送時間区間（ＴＴＩ：Ｔｒａｎｓｍｉｓｓｉｏｎ  Ｔｉｍｅ  Ｉｎｔｅｒｖａｌ）の種類及びアップリンク（ＵＬ：Ｕｐｌｉｎｋ）副フレームの位置を示す指示子フィールド値を決定する過程と、前記決定された指示子フィールド値を含むＵＬ資源割当ＩＥを生成する過程と、を含むことを特徴とする。
【００２６】
本発明の第３見地によると、無線通信システムにおける資源割当によるデータ送信のための端末は、受信されたダウンリンク（ＤＬ：Ｄｏｗｎｌｉｎｋ）副フレーム内のアップリンク（ＵＬ：Ｕｐｌｉｎｋ）資源割当ＩＥを復号し、前記復号されたＵＬ資源割当ＩＥから指示子フィールド値を抽出するメッセージ解釈機と、前記抽出された指示子フィールド値に基づいて前記端末に割り当てられた資源を介してＵＬデータを送信するＲＦ送信機と、を含み、前記指示子フィールド値は端末に割り当てられた資源に対する伝送時間区間（ＴＴＩ：Ｔｒａｓｍｉｓｓｉｏｎ  Ｔｉｍｅ  Ｉｎｔｅｒｖａｌ）の種類及びＵＬ副フレームの位置を示すことを特徴とする。
【００２７】
本発明の第４見地によると、無線通信システムにおける資源割当のための基地局は、スケジューリングを介して端末に資源を割り当てるスケジューラと、前記端末に割り当てられた資源に対する伝送時間区間（ＴＴＩ：Ｔｒａｎｓｍｉｓｓｉｏｎ  Ｔｉｍｅ  Ｉｎｔｅｒｖａｌ）の種類及びアップリンク（ＵＬ：Ｕｐｌｉｎｋ）副フレームの位置を示す指示子フィールド値を決定した後、前記決定された指示子フィールド値を含むＵＬ資源割当ＩＥを生成するメッセージ生成機と、を含むことを特徴とする。
【発明の効果】
【００２８】
本発明は、広帯域無線通信システムにおける非対称リンクを有するＴＤＤフレームにおいて、ＤＬ対ＵＬの割合によって決められるＤＬ副フレームとＵＬ副フレームの対応関係に基づいてＤＬ副フレームを介して伝送されるＡ−ＭＡＰ  ＩＥが示すバースト割当に対するＵＬ副フレームの位置（例えば、１番目のＵＬ副フレーム、２番目のＵＬ副フレーム、３番目のＵＬ副フレーム）のみならずバースト伝送特性（例えば、ｄｅｆａｕｌｔ  ＴＴＩ、ｌｏｎｇ  ＴＴＩ）を示す指示子を利用することで、追加のシグナリングオーバヘッドがなくても多様な特性のバースト割当を示し得る利点がある。また、そのように多様な特性のバースト割当を示し得ることによって特定の特性（例えば、ｌｏｎｇ  ＴＴＩ）のバースト割当のみを考慮することによる資源損失を回避し得る利点がある。
【図面の簡単な説明】
【００２９】
【図１】従来のＩＥＥＥ  ８０２．１６ｍシステムの基本的なフレーム構造を示す図である。
【図２】従来のＩＥＥＥ  ８０２．１６ｍシステムにおける一つのＤＬ副フレームに対応するＵＬ副フレームが多数である場合のＴＤＤフレーム構造を示す図である。
【図３】従来のＩＥＥＥ  ８０２．１６ｍシステムにおいて、一つのＤＬ副フレームに対応するＵＬ副フレームが多数である場合のＴＤＤ  １６ｅ／１６ｍ共存支援フレーム構造における特定の特性のバースト割当のみを示すことによる問題点を示す図である。
【図４】本発明によるＩＥＥＥ  ８０２．１６ｍシステムにおいて、一つのＤＬ副フレームに対応するＵＬ副フレームが多数である場合のＴＤＤ  １６ｅ／１６ｍ共存支援フレーム構造における多様な特性のバースト割当を示すための方法を示す図である。
【図５】本発明による広帯域無線通信システムにおいて、基地局がＴＴＩ  ａｎｄ  Ｒｅｌｅｖａｎｃｅフィールドを含むＵＬ  Ａ−ＭＡＰ  ＩＥを介してＵＬ資源を割り当てるための方法を示す図である。
【図６】本発明による広帯域無線通信システムにおいて、端末がＴＴＩ  ａｎｄ  Ｒｅｌｅｖａｎｃｅフィールドを含むＵＬ  Ａ−ＭＡＰ  ＩＥを介してＵＬ資源を割り当てられるための方法を示す図である。
【図７】本発明による広帯域無線通信システムにおける基地局のブロック構成を示す図である。
【図８】本発明による広帯域無線通信システムにおける端末のブロック構成を示す図である。
【発明を実施するための形態】
【００３０】
以下、添付の図面を参照して、本発明の動作原理を詳しく説明する。下記で本発明を説明するに当たって関連する公知機能又はその構成に対する具体的な説明が本発明の要旨を不明確にする恐れがあると判断される場合、その詳しい説明を省略する。そして、後述する用語は本発明における機能を考慮して定義されたものであり、これは使用者、運用者の意図又は慣例などによって異なり得る。従って、その定義は本明細書全般にかかる内容に基づいて定められるべきである。
【００３１】
以下、本発明は、広帯域無線通信システムにおけるＵＬ資源割当を示すための技術について説明する。
【００３２】
以下、本発明は、周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／直交周波数分割多重接続（ＯＦＤＭＡ：Ｏｒｔｈｏｇｏｎａｌ  Ｆｒｅｑｕｅｎｃｙ  ＤｉｖｉｓｉｏｎＭｕｌｔｉｐｌｅ  Ａｃｃｅｓｓ）方式の無線通信システムを例に挙げて説明するが、他の方式の無線通信システムにも同じく適用され得る。
【００３３】
本発明は、広帯域無線通信システムにおける非対称リンクを有するＴＤＤフレームにおいて、多様なＤＬ対ＵＬの割合によって決められるＤＬ副フレームとＵＬ副フレームの対応関係に基づいてＤＬ副フレームを介して伝送されるＡ−ＭＡＰ  ＩＥが示すバースト割当に対するＵＬ副フレームの位置（例えば、１番目のＵＬ副フレーム、２番目のＵＬ副フレーム、３番目のＵＬ副フレーム）のみならずバースト伝送特性（例えば、ｄｅｆａｕｌｔ  ＴＴＩ、ｌｏｎｇ  ＴＴＩ）を示す２ビット指示子「ＴＴＩ  ａｎｄ  Ｒｅｌｅｖａｎｃｅ」フィールドを提案する。
【００３４】
ここで、前記ＴＴＩ  ａｎｄ  Ｒｅｌｅｖａｎｃｅフィールドはビット値によって以下の特性を有すると定義し得る。以下、本発明は任意のＤＬ副フレームに対応するＵＬ副フレームの個数が３つ以下であることを仮定して説明するが、３つ以上の個数を有してもよいことはもちろんである。この場合、前記ＴＴＩ  ａｎｄ  Ｒｅｌｅｖａｎｃｅフィールドは２ビットと以上のビットを有するようになる。
【００３５】
−０ｂ００：ｌｏｎｇ  ＴＴＩ
−０ｂ０１：ｄｅｆａｕｌｔ  ＴＴＩ（Ａ−ＭＡＰ  ＩＥが伝送されるＤＬ副フレームに対応するＵＬ副フレームのうち１番目のＵＬ副フレーム）
−０ｂ１０：ｄｅｆａｕｌｔ  ＴＴＩ（Ａ−ＭＡＰ  ＩＥが伝送されるＤＬ副フレームに対応するＵＬ副フレームのうち２番目のＵＬ副フレーム）
−０ｂ１１：ｄｅｆａｕｌｔ  ＴＴＩ（Ａ−ＭＡＰ  ＩＥが伝送されるＤＬ副フレームに対応するＵＬ副フレームのうち３番目のＵＬ副フレーム）
【００３６】
本発明では、このように定義されたＴＴＩ  ａｎｄ  Ｒｅｌｅｖａｎｃｅを利用してバースト割当を示すことで、従来の４ビットシグナリングに比べ小さいビットのシグナリングを利用して多様な特性のバースト割当を示すことができる。
【００３７】
本発明で提案する２ビットのＴＴＩ  ａｎｄ  Ｒｅｌｅｖａｎｃｅフィールドは、ＵＬ割当を示す任意のＵＬ  Ａ−ＭＡＰ  ＩＥに含まれて前記ＵＬ割当で伝送されるバーストの伝送長さ（即ち、バースト伝送特性）及び伝送位置（即ち、ＤＬ副フレームを介して伝送されるＡ−ＭＡＰ  ＩＥが示すバースト割当に対するＵＬ副フレームの位置）を示す。ここで、前記任意のＵＬ  Ａ−ＭＡＰ  ＩＥには、基本割当（Ｂａｓｉｃ  ａｓｓｉｇｎｍｅｎｔ）Ａ−ＭＡＰ  ＩＥ、固定割当（Ｐｅｒｓｉｓｔｅｎｔ  ａｓｓｉｇｎｍｅｎｔ）Ａ−ＭＡＰ  ＩＥ、グループ割当（Ｇｒｏｕｐ  ａｓｓｉｇｎｍｅｎｔ）Ａ−ＭＡＰ  ＩＥ、ＣＤＭＡ割当（ＣＤＭＡ  ａｌｌｏｃａｔｉｏｎ）Ａ−ＭＡＰ  ＩＥ、副帯域（Ｓｕｂｂａｎｄ）Ａ−ＭＡＰ  ＩＥ、フィードバックポーリング（ｆｅｅｄｂａｃｋ  ｐｏｌｌｉｎｇ）ＩＥなどが含まれ得る。
【００３８】
一つの実施例として、固定割当Ａ−ＭＡＰ  ＩＥは本発明で提案する方式を介して下記表１（１）〜１（３）のように構成され得る。即ち、従来と同じビット数を利用してＩＥＥＥ  ８０２．１６ｍシステムで支援する非対称リンクを有するＴＤＤフレーム構造において、任意のＤＬ副フレームに対応するＵＬ副フレームの位置とバースト伝送特性を示し得る。
【００３９】
【表１】
0005898180.tif 000002
【表２】
0005898180.tif 000003
【表３】
0005898180.tif 000004
【００４０】
ここで、前記表１に示したように、Ａ−ＭＡＰ  ＩＥは従来のフィールド内容変更及びｒｅｓｅｖｅｄ  ｂｉｔを利用してｌｏｎｇ  ＴＴＩ  ａｎｄ  Ｒｅｌｅｖａｎｃｅを含むことで追加のシグナリングオーバヘッドがなくても多様なバースト特性を示し得る。
【００４１】
図４は、本発明によるＩＥＥＥ  ８０２．１６ｍシステムにおいて、一つのＤＬ副フレームに対応するＵＬ副フレームが多数である場合のＴＤＤ  １６ｅ／１６ｍ共存支援フレーム構造における多様な特性のバースト割当を示すための方法を示す図である。
【００４２】
前記図４を介して、５：３  ＴＤＤ  １６ｅ／１６ｍ共存支援フレーム構造を調べてみると、１６ｍがフレーム内のＤ：Ｕ＝１：３領域を占有する場合、ＤＬ０副フレームを介して伝送される各Ａ−ＭＡＰ  ＩＥは２ビット指示子であるＴＴＩ  ａｎｄ  Ｒｅｌｅｖａｎｃｅを介し、ｌｏｎｇ  ＴＴＩのみならず１番目の副フレームにおけるｄｅｆａｕｌｔ  ＴＴＩ、２番目の副フレームにおけるｄｅｆａｕｌｔ  ＴＴＩ及び３番目の副フレームにおけるｄｅｆａｕｌｔ  ＴＴＩを示し得る。
【００４３】
図５は、本発明による広帯域無線通信システムにおいて、基地局がＴＴＩ  ａｎｄ  Ｒｅｌｅｖａｎｃｅフィールドを含むＵＬ  Ａ−ＭＡＰ  ＩＥを介してＵＬ資源を割り当てるための方法を示す図である。
【００４４】
前記図５を参照すると、基地局はステップ５０１で、ＵＬ副フレームに対する資源スケジューリングを介して端末にＵＬバーストを割り当てる。
【００４５】
次に、前記基地局はステップ５０３で、ＤＬ対ＵＬの割合によって前記端末に割り当てられたＵＬバーストに対するＵＬ  Ａ−ＭＡＰ  ＩＥを含むようになるＤＬ副フレームに対応するＵＬ副フレームの個数とインデックスを決定する。ここで、ＤＬ対ＵＬの割合によるＤＬ副フレームとＵＬ副フレームの対応関係は参照テーブル（ｌｏｏｋ−ｕｐｔａｂｌｅ）の形で予め格納されて基地局によって参照されてもよく、又は既に定義された数式を介して基地局によって計算されてもよい。
【００４６】
次に、前記基地局はステップ５０５で、前記ＤＬ副フレームに対応するＵＬ副フレームの個数とインデックスに基づいて、前記端末に割り当てられたＵＬバーストに対するＴＴＩの種類（即ち、ＵＬバーストの伝送長さ）及びＵＬ副フレームの位置（即ち、ＵＬバーストの伝送位置）を示すＴＴＩ  ａｎｄ  Ａ−ＭＡＰ  ｒｅｌｅｖａｎｃｅフィールド値を決定する。例えば、前記ＴＴＩ  ａｎｄ  Ａ−ＭＡＰ  ｒｅｌｅｖａｎｃｅフィールド値は「ｌｏｎｇ  ＴＴＩ」、「ｄｅｆａｕｌｔ  ＴＴＩ、対応する１番目のＵＬ副フレーム」、「ｄｅｆａｕｌｔ  ＴＴＩ、対応する２番目のＵＬ副フレーム」、「ｄｅｆａｕｌｔ  ＴＴＩ、対応する３番目のＵＬ副フレーム」のうち一つを示すように決定され得る。ここで、「ｌｏｎｇ  ＴＴＩ」を示すＴＴＩ  ａｎｄ  Ａ−ＭＡＰ  ｒｅｌｅｖａｎｃｅフィールド値は、前記端末に割り当てられたＵＬバーストに対するＴＴＩの種類がｌｏｎｇ  ＴＴＩであり、前記端末に割り当てられたＵＬバーストに対するＵＬ副フレームの位置が前記ＤＬ副フレームに対応するＵＬ副フレーム又は前記ＤＬ副フレームに対応するＵＬ副フレームのうち１番目のＵＬ副フレームから始まってｌｏｎｇ  ＴＴＩ区間であることを示す。また、「ｄｅｆａｕｌｔ  ＴＴＩ、対応する１番目のＵＬ副フレーム」を示すＴＴＩ  ａｎｄ  Ａ−ＭＡＰ  ｒｅｌｅｖａｎｃｅフィールド値は、前記端末に割り当てられたＵＬバーストに対するＴＴＩの種類がｄｅｆａｕｌｔ  ＴＴＩであり、前記端末に割り当てられたＵＬバーストに対するＵＬ副フレームの位置が前記ＤＬ副フレームに対応するＵＬ副フレームのうち１番目のＵＬ副フレームであることを示す。同じ方式で、「ｄｅｆａｕｌｔ  ＴＴＩ、対応する２番目のＵＬ副フレーム」を示すＴＴＩ  ａｎｄ  Ａ−ＭＡＰ  ｒｅｌｅｖａｎｃｅフィールド値は、前記端末に割り当てられたＵＬバーストに対するＴＴＩの種類がｄｅｆａｕｌｔ  ＴＴＩであり、前記端末に割り当てられたＵＬバーストに対するＵＬ副フレームの位置が前記ＤＬ副フレームに対応するＵＬ副フレームのうち２番目のＵＬ副フレームであることを示し、「ｄｅｆａｕｌｔ  ＴＴＩ、対応する３番目のＵＬ副フレーム」を示すＴＴＩ  ａｎｄ  Ａ−ＭＡＰ  ｒｅｌｅｖａｎｃｅフィールド値は、前記端末に割り当てられたＵＬバーストに対するＴＴＩの種類がｄｅｆａｕｌｔ  ＴＴＩであり、前記端末に割り当てられたＵＬバーストに対するＵＬ副フレームの位置が前記ＤＬ副フレームに対応するＵＬ副フレームのうち３番目のＵＬ副フレームであることを示す。
【００４７】
次に、前記基地局はステップ５０７で前記決定されたＴＴＩ  ａｎｄ  Ａ−ＭＡＰ  ｒｅｌｅｖａｎｃｅフィールドを含むＵＬ  Ａ−ＭＡＰ  ＩＥを生成し、前記生成されたＵＬ  Ａ−ＭＡＰ  ＩＥを符号化する。
【００４８】
次に、前記基地局はステップ５０９で、前記端末に前記符号化されたＵＬ  Ａ−ＭＡＰ  ＩＥを含むＤＬ副フレームを伝送する。
【００４９】
次に、前記基地局はステップ５１１で前記端末に割り当てられたＵＬバーストを介して前記端末からＵＬデータを受信し、前記受信されたＵＬデータを復号する。
【００５０】
次に、前記基地局は本発明によるアルゴリズムを終了する。
【００５１】
図６は、本発明による広帯域無線通信システムにおいて、端末がＴＴＩ  ａｎｄ  Ｒｅｌｅｖａｎｃｅフィールドを含むＵＬ  Ａ−ＭＡＰ  ＩＥを介してＵＬ資源を割り当てられるための方法を示す図である。
【００５２】
前記図６を参照すると、端末はステップ６０１で基地局からＤＬ副フレームが受信されるのか否かを検査する。
【００５３】
前記ステップ６０１において、基地局からＤＬ副フレームが受信されると判断される際、前記端末はＤＬ対ＵＬの割合によって一つのＤＬ副フレームに対応するＵＬ副フレームの個数とインデックスが異なるため、ＤＬ対ＵＬの割合によって前記受信されたＤＬ副フレームに対応するＵＬ副フレームの個数とインデックスを決定するためにまずステップ６０３で前記受信されたＤＬ副フレームのインデックスを決定する。ここで、前記ＤＬ副フレームインデックスは、前記受信されたＤＬ副フレーム内の既に決定された位置で検出されるプリアンブルを利用して決定し得る。
【００５４】
次に、前記端末はステップ６０５で、ＤＬ対ＵＬの割合によって前記決定されたＤＬ副フレームのインデックスに対応するＵＬ副フレームの個数とインデックスを決定する。ここで、ＤＬ対ＵＬの割合によるＤＬ副フレームとＵＬ副フレームの対応関係は参照テーブル（ｌｏｏｋ−ｕｐｔａｂｌｅ）の形で予め格納されて端末によって参照されてもよく、又は既に定義された数式を介して端末によって予め計算されてもよい。ここで、ＤＬ対ＵＬの割合は基地局から周期的（例えば、スーパーフレームごとに）又はイベント−トリガー方式で伝送されるフレームの構成に関する制御情報を介して獲得し得る。
【００５５】
次に、前記端末はステップ６０７で、前記受信されたＤＬ副フレーム内のＵＬ  Ａ−ＭＡＰ  ＩＥを復号する。
【００５６】
次に、前記端末はステップ６０９で前記復号されたＵＬ  Ａ−ＭＡＰ  ＩＥからＴＴＩ  ａｎｄ  Ａ−ＭＡＰ  ｒｅｌｅｖａｎｃｅフィールドの値を抽出する。
【００５７】
次に、前記端末はステップ６１１乃至ステップ６２５を介して前記決定されたＤＬ副フレームインデックスに対応するＵＬ副フレームの個数とインデックスに基づいて、前記抽出されたＴＴＩ  ａｎｄ  Ａ−ＭＡＰ  ｒｅｌｅｖａｎｃｅフィールド値が示す前記端末に割り当てられたＵＬバーストに対するＴＴＩの種類（即ち、ＵＬバーストの伝送長さ）及びＵＬ副フレームの位置（即ち、ＵＬバーストの伝送位置）に従って前記端末に割り当てられたＵＬバーストを介してＵＬデータを送信する。
【００５８】
即ち、前記端末はステップ６１１で、前記抽出されたＴＴＩ  ａｎｄ  Ａ−ＭＡＰ  ｒｅｌｅｖａｎｃｅフィールド値が「ｌｏｎｇ  ＴＴＩ」を示すのか否かを検査する。前記ステップ６１１において、前記抽出されたＴＴＩ  ａｎｄ  Ａ−ＭＡＰ  ｒｅｌｅｖａｎｃｅフィールド値が「ｌｏｎｇ  ＴＴＩ」を示すと判断される際、前記端末はステップ６１３で、前記受信されたＤＬ副フレームに対応するＵＬ副フレームの間、又は、前記受信されたＤＬ副フレームに対応するＵＬ副フレームのうち１番目のＵＬ副フレームから始まってｌｏｎｇ  ＴＴＩ区間の間、前記端末に割り当てられたＵＬバーストを介して基地局にＵＬデータを送信する。一方、前記端末はステップ６１１で、前記抽出されたＴＴＩ  ａｎｄ  Ａ−ＭＡＰ  ｒｅｌｅｖａｎｃｅフィールド値が「ｌｏｎｇ  ＴＴＩ」を示さないと判断される際、前記端末はステップ６１５で前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する１番目のＵＬ副フレーム」を示すのか否かを検査する。前記ステップ６１５において、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する１番目のＵＬ副フレーム」を示すと判断される際、前記端末はステップ６１７で前記受信されたＤＬ副フレームに対応するＵＬ副フレームのうち１番目のＵＬ副フレームから前記端末に割り当てられたＵＬバーストを介して基地局にＵＬデータを送信する。一方、前記端末はステップ６１５で、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する１番目のＵＬ副フレーム」を示さないと判断される際、前記端末はステップ６１９で前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する２番目のＵＬ副フレーム」を示すのか否かを検査する。前記ステップ６１９において、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する２番目のＵＬ副フレーム」を示すと判断される際、前記端末はステップ６２１で、前記受信されたＤＬ副フレームに対応するＵＬ副フレームのうち２番目の副フレームから前記端末に割り当てられたＵＬバーストを介して基地局にＵＬデータを送信する。一方、前記端末はステップ６１９で、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する２番目のＵＬ副フレーム」を示さないと判断される際、前記端末はステップ６２３で、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する３番目のＵＬ副フレーム」を示すのか否かを検査する。前記ステップ６２３において、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する３番目のＵＬ副フレーム」を示すと判断される際、前記端末はステップ６２５で、前記受信されたＤＬ副フレームに対応するＵＬ副フレームのうち３番目のＵＬ副フレームから前記端末に割り当てられたＵＬバーストを介して基地局にＵＬデータを送信する。一方、前記端末はステップ６２３で、前記抽出されたＴＴＩ  ａｎｄ  Ａ−ＭＡＰ  ｒｅｌｅｖａｎｃｅフィールド値が「ｄｅｆａｕｌｔ  ＴＴＩ、対応する３番目のＵＬ副フレーム」を示さないと判断される際、前記端末は本発明によるアルゴリズムを終了する。前記ＴＴＩ  ａｎｄ  Ａ−ＭＡＰ  ｒｅｌｅｖａｎｃｅフィールド値検査は並列的に行われ、ＴＴＩ  ａｎｄ  Ａ−ＭＡＰ  ｒｅｌｅｖａｎｃｅフィールド値が示す割当を直接的に判断し得る。
【００５９】
図７は、本発明による広帯域無線通信システムにおける基地局のブロック構成を示す図である。
【００６０】
図示したように、基地局は副搬送波マッピング機７０２、ＯＦＤＭ変調機７０４、ＲＦ（Ｒａｄｉｏ  Ｆｒｅｑｕｅｎｃｙ）送信機７０６、ＲＦ受信機７０８、ＯＦＤＭ復調機７１０、副搬送波デマッピング機（Ｄｅｍａｐｐｅｒ）７１２、データ処理機７１４、メッセージ生成機７１６、メッセージ解釈機７１８、制御部７２０を含んで構成される。
【００６１】
前記図７を参照すると、前記副搬送波マッピング機７０２は、前記データ処理機７１４から提供されるデータ信号、及び、前記メッセージ生成機７１６から提供されるメッセージ信号を副搬送波にマッピングする。前記ＯＦＤＭ変調機７０４はＩＦＦＴ（Ｉｎｖｅｒｓｅ  Ｆａｓｔ  Ｆｏｕｒｉｅｒ  Ｔｒａｎｓｆｏｒｍ）演算を介して前記副搬送波にマッピングされた信号を時間領域信号に変換し、ＣＰ（Ｃｙｃｌｉｃ  Ｐｒｅｆｉｘ）を挿入することでＯＦＤＭシンボルを構成する。前記ＲＦ送信機７０６は、前記ＯＦＤＭシンボルをＲＦ帯域の信号にアップリンク変換した後、前記ＲＦ帯域信号をアンテナを介して送信する。
【００６２】
前記ＲＦ受信機７０８は、アンテナを介して受信されるＲＦ帯域信号を基底帯域信号に変換する。前記ＯＦＤＭ変調機７１０は、前記基底帯域信号をＯＦＤＭシンボル単位に分割し、ＣＰを除去した後、ＦＦＴ（Ｆａｓｔ  Ｆｏｕｒｉｅｒ  Ｔｒａｎｓｆｏｒｍ）演算を介して副搬送波別信号を復元する。前記副搬送波デマッピング機７１２は、前記副搬送波別の信号を処理単位に区分し、データ信号は前記データ処理機７１４に、メッセージ信号は前記メッセージ解釈機７１８に提供する。
【００６３】
前記データ処理機７１４は、前記データ信号を復調及びチャネル復号することで受信データビット列を復元し、送信データビット列をチャネル符号化及び変調することで送信データ信号を生成する。
【００６４】
前記メッセージ解釈機７１８は、端末から受信されるメッセージ信号からメッセージビット列を復元する。そして、前記メッセージ解釈機７１８は、前記メッセージビット列を解釈することで該当メッセージ信号に含まれた情報を確認し、確認された情報を前記制御部７２０に提供する。
【００６５】
前記メッセージ生成機７１６は、前記制御部７２０から提供される情報を含むメッセージビット列を構成し、前記メッセージビット列から物理的メッセージ信号を生成する。特に、前記制御機７１６は前記制御部７２０から提供されるシステム資源スケジューリング結果に応じてＡ−ＭＡＰ  ＩＥを生成する。
【００６６】
前記制御機７２０は、前記基地局の全般的機能を制御する。例えば、前記制御部７２０はＵＬ資源スケジューリング結果に応じて端末別データ信号を抽出するように前記副搬送波デマッピング機７１２を制御し、ＤＬ資源スケジューリング結果に応じて端末別データ信号をマッピングするように前記副搬送波マッピング機７０２を制御する。また、前記制御部７２０は前記メッセージ解釈機７１８によって確認された情報に対応する処理を行い、送信メッセージに含まれる情報を前記メッセージ生成機７１６に提供する。そして、前記制御部７２０内のスケジューラ７２２は資源スケジューリングを行う。
【００６７】
本発明の実施例による上述した各ブロックの動作を説明すると以下のようである。
【００６８】
前記制御部７２０内のスケジューラ７２２はＵＬ副フレームに対する資源スケジューリングを介して端末にＵＬバーストを割り当て、前記メッセージ生成機７１６に資源スケジューリング結果を提供する。それによって、前記メッセージ生成機７１６は端末のためのＵＬ  Ａ−ＭＡＰ  ＩＥを生成する。詳しく説明すると、前記メッセージ生成機７１６はＵＬ  Ａ−ＭＡＰ  ＩＥを生成する端末を選択し、ＤＬ対ＵＬの割合によって前記選択された端末に割り当てられたＵＬバーストに対するＵＬ  Ａ−ＭＡＰ  ＩＥを含むようになるＤＬ副フレームに対応するＵＬ副フレームの個数とインデックスを決定する。ここで、ＤＬ対ＵＬの割合によるＤＬ副フレームとＵＬ副フレームの対応関係は参照テーブル（ｌｏｏｋ−ｕｐｔａｂｌｅ）の形で予め格納されて前記メッセージ生成機７１６によって参照されてもよく、又は既に定義された数式を介して前記メッセージ生成機７１６によって計算されてもよい。次に、前記メッセージ生成機７１６は前記ＤＬ副フレームに対応するＵＬ副フレームの個数とインデックスに基づいて前記選択された端末に割り当てられたＵＬバーストに対するＴＴＩの種類（即ち、ＵＬバーストの伝送長さ）及びＵＬ副フレームの位置（即ち、ＵＬバーストの伝送位置）を示すＴＴＩ  ａｎｄ  Ａ−ＭＡＰ  ｒｅｌｅｖａｎｃｅフィールド値を決定する。例えば、前記ＴＴＩ  ａｎｄ  Ａ−ＭＡＰ  ｒｅｌｅｖａｎｃｅフィールド値は「ｌｏｎｇ  ＴＴＩ」、「ｄｅｆａｕｌｔ  ＴＴＩ、対応する１番目のＵＬ副フレーム」、「ｄｅｆａｕｌｔ  ＴＴＩ、対応する２番目のＵＬ副フレーム」、「ｄｅｆａｕｌｔ  ＴＴＩ、対応する３番目のＵＬ副フレーム」のうち一つを示すように決定され得る。次に、前記メッセージ生成機７１６は前記決定されたＴＴＩ  ａｎｄ  Ａ−ＭＡＰ  ｒｅｌｅｖａｎｃｅフィールドを含むＵＬ  Ａ−ＭＡＰ  ＩＥを生成する。次に、端末のためのＵＬ  Ａ−ＭＡＰ  ＩＥの生成が完了されると、前記メッセージ生成機７１６はＵＬ  Ａ−ＭＡＰ  ＩＥを各端末の特定シーケンスに分離符号化した後、複素シンボル（ｃｏｍｐｌｅｘ  ｓｙｍｂｏｌ）に変換し、前記副搬送波マッピング機７０２に提供する。それによって、前記副搬送波マッピング機７０２は前記ＵＬ  Ａ−ＭＡＰ  ＩＥの信号を副搬送波にマッピングし、前記ＯＦＤＭ変調機７０４及びＲＦ送信機７０６は副搬送波にマッピングされたＵＬ  Ａ−ＭＡＰ  ＩＥの信号を含むＤＬ副フレームを端末に伝送する。次に、前記ＲＦ受信機７０８は、前記端末に割り当てられたＵＬバーストを介して前記端末からＵＬデータ信号を受信する。
【００６９】
図８は、本発明による広帯域無線通信システムにおける端末のブロック構成を示す図である。
【００７０】
図示したように、端末はＲＦ受信機８０２、ＯＦＤＭ復調機８０４、副搬送波デマッピング機８０６、データ処理機８０８、副搬送波マッピング機８１０、ＯＦＤＭ変調機８１２、ＲＦ送信機８１４、メッセージ生成機８１６、メッセージ解釈機８１８、制御部８２０を含んで構成される。
【００７１】
前記図８を参照すると、前記ＲＦ受信機８０２はアンテナを介して受信されるＲＦ帯域信号を基底帯域信号に変換する。前記ＯＦＤＭ復調機８０４は、前記基底帯域信号をＯＦＤＭシンボル単位に分割し、ＣＰを除去した後、ＦＦＴ演算を介して副搬送波別信号を復元する。前記副搬送波デマッピング機８０６は、前記副搬送波別信号を処理単位に区分し、データ信号は前記データ処理機８０８に、メッセージ信号は前記メッセージ解釈機８１８に提供する。
【００７２】
前記データ処理機８０８は、前記データ信号を復調及びチャネル復号することで受信データビット列を復元し、送信データビット列をチャネル符号化及び変調することで送信データ信号を生成する。
【００７３】
前記副搬送波マッピング機８１０は、前記データ処理機８０８から提供されるデータ信号及び前記メッセージ生成機８１６から提供されるメッセージ信号を副搬送波にマッピングする。前記ＯＦＤＭ変調機８１２はＩＦＦＴ演算を介して前記副搬送波にマッピングされた信号を時間領域信号に変換し、ＣＰを挿入することでＯＦＤＭシンボルを構成する。前記ＲＦ送信機８１４は、前記ＯＦＤＭシンボルをＲＦ帯域信号にアップリンク変換した後、前記ＲＦ帯域信号をアンテナを介して送信する。
【００７４】
前記メッセージ生成機８１６は、前記制御部８２０から提供される情報を含むメッセージビット列を構成し、前記メッセージビット列から物理的メッセージ信号を生成する。
【００７５】
前記メッセージ解釈機８１８は、端末から受信されるメッセージ信号からメッセージビット列を復元する。そして、前記メッセージ解釈機８１８は前記メッセージビット列を解釈することで該当メッセージ信号に含まれた情報を確認し、確認された情報を前記制御部８２０に提供する。特に、前記メッセージ解釈機８１８はＡ−ＭＡＰ  ＩＥを解釈することで前記端末に対する資源スケジューリング結果を確認する。ここで、前記確認された資源スケジューリング結果は基地局とデータ信号を送受信するのに利用される。
【００７６】
前記制御機８２０は、前記端末の全般的機能を制御する。例えば、前記制御部８２０は前記メッセージ解釈機８１８によって確認された割り当てられたＤＬ資源（即ち、ＤＬバースト）でデータ信号を抽出するように前記副搬送波デマッピング機８０６を制御し、前記メッセージ解釈機８１８によって確認された割り当てられたＵＬ資源（即ち、ＵＬバースト）にデータ信号をマッピングするように前記副搬送波マッピング機８１０を制御する。また、前記制御部８２０は、前記メッセージ解釈機８１８によって確認された情報に対応する処理を行い、送信メッセージに含まれる情報を前記メッセージ生成機８１６に提供する。
【００７７】
本発明の実施例による上述した各ブロックの動作を説明すると以下のようである。
【００７８】
前記ＲＦ受信機８０２及びＯＦＤＭ復調機８０４は、基地局からＵＬ  Ａ−ＭＡＰ  ＩＥの信号を含むＤＬ副フレームを受信する。前記副搬送波デマッピング機８０６は、前記受信された副フレームからＵＬ  Ａ−ＭＡＰ  ＩＥの信号を抽出して前記メッセージ解釈機８１８に提供する。前記メッセージ解釈機８１８は、前記受信されたＤＬ副フレームのインデックスを決定する。ここで、前記ＤＬ副フレームインデックスは、前記受信されたＤＬ副フレーム内の既に決定された位置で検出されるプリアンブルを利用して決定し得る。次に、前記メッセージ解釈機８１８は、ＤＬ対ＵＬの割合によって前記決定されたＤＬ副フレームのインデックスに対応するＵＬ副フレームの個数とインデックスを決定する。ここで、ＤＬ対ＵＬの割合によるＤＬ副フレームとＵＬ副フレームの対応関係は参照テーブル（ｌｏｏｋ−ｕｐｔａｂｌｅ）の形で予め格納されて前記メッセージ解釈機８１８によって参照されてもよく、又は既に定義された数式を介して前記メッセージ解釈機８１８によって計算されてもよい。ここで、ＤＬ対ＵＬの割合は基地局から周期的（例えば、スーパーフレームごとに）又はイベント−トリガー方式で伝送されるフレームの構成に関する制御情報を介して獲得し得る。次に、前記メッセージ解釈機８１８は前記ＵＬ  Ａ−ＭＡＰ  ＩＥを復号し、前記復号されたＵＬ  Ａ−ＭＡＰ  ＩＥからＴＴＩ  ａｎｄ  Ａ−ＭＡＰ  ｒｅｌｅｖａｎｃｅフィールドの値を抽出する。次に、前記メッセージ解釈機８１８は前記抽出されたＴＴＩ  ａｎｄ  Ａ−ＭＡＰ  ｒｅｌｅｖａｎｃｅフィールド値を前記制御部８２０に知らせる。この際、前記制御部８２０は前記ＴＴＩ  ａｎｄ  Ａ−ＭＡＰ  ｒｅｌｅｖａｎｃｅフィールド値が示す前記端末に割り当てられたＵＬバーストに対するＴＴＩの種類（即ち、ＵＬバーストの伝送長さ）及びＵＬ副フレームの位置（即ち、ＵＬバーストの伝送位置）によって前記端末に割り当てられたＵＬバーストを介してＵＬデータ信号を送信するように前記副搬送波マッピング機８１０を制御する。即ち、前記制御部８２０は、前記ＴＴＩ  ａｎｄ  Ａ−ＭＡＰ  ｒｅｌｅｖａｎｃｅフィールド値が「ｌｏｎｇ  ＴＴＩ」を示すと判断される際、前記受信されたＤＬ副フレームに対応するＵＬ副フレームの間又は前記受信されたＤＬ副フレームに対応するＵＬ副フレームのうち１番目のＵＬ副フレームから始まってｌｏｎｇ  ＴＴＩ区間の間前記端末に割り当てられたＵＬバーストを介して基地局にＵＬデータ信号を送信するように前記副搬送波マッピング機８１０を制御する。また、前記制御部８２０は、前記ＴＴＩ  ａｎｄ  Ａ−ＭＡＰ  ｒｅｌｅｖａｎｃｅフィールド値が「ｄｅｆａｕｌｔ  ＴＴＩ、対応する１番目のＵＬ副フレーム」を示すと判断される際、前記受信されたＤＬ副フレームに対応するＵＬ副フレームのうち１番目のＵＬ副フレームから前記端末に割り当てられたＵＬバーストを介して基地局にＵＬデータ信号を送信するように前記副搬送波マッピング機８１０を制御する。また、前記制御部８２０は、前記ＴＴＩ  ａｎｄ  Ａ−ＭＡＰ  ｒｅｌｅｖａｎｃｅフィールド値が「ｄｅｆａｕｌｔ  ＴＴＩ、対応する２番目のＵＬ副フレーム」を示すと判断される際、前記受信されたＤＬ副フレームに対応するＵＬ副フレームのうち２番目のＵＬ副フレームから前記端末に割り当てられたＵＬバーストを介して基地局にＵＬデータ信号を送信するように前記副搬送波マッピング機８１０を制御する。また、前記制御部８２０は、前記ＴＴＩ  ａｎｄ  Ａ−ＭＡＰ  ｒｅｌｅｖａｎｃｅフィールド値が「ｄｅｆａｕｌｔ  ＴＴＩ、対応する３番目のＵＬ副フレーム」を示すと判断される際、前記受信されたＤＬ副フレームに対応するＵＬ副フレームのうち３番目のＵＬ副フレームから前記端末に割り当てられたＵＬバーストを介して基地局にＵＬデータ信号を送信するように前記副搬送波マッピング機８１０を制御する。
【００７９】
一方、本発明の詳細な説明では具体的な実施例に関して説明したが、本発明の範囲を逸脱しない範囲内で多様な変形が可能であることはもちろんである。従って、本発明の範囲は説明された実施例に限って決められてはならず、後述する特許請求の範囲だけでなく、この特許請求の範囲と均等なものによって決められるべきである。
【符号の説明】
【００８０】
７０２、８１０  副搬送波マッピング機
７０４、８１２  ＯＦＤＭ変調機
７０６、８１４  ＲＦ送信機
７０８、８０２  ＲＦ受信機
７１０、８０４  ＯＦＤＭ復調機
７１２、８０６  副搬送波デマッピング機
７１４、８０８  データ処理機
７１６、８１６  メッセージ生成機
７１８、８１８  メッセージ解釈機
７２０、８２０  制御部
【図１】
0005898180.tif 000005
【図２】
0005898180.tif 000006
【図３】
0005898180.tif 000007
【図４】
0005898180.tif 000008
【図５】
0005898180.tif 000009
【図６】
0005898180.tif 000010
【図７】
0005898180.tif 000011
【図８】
0005898180.tif 000012